(57)【特許請求の範囲】
【請求項１】
テレビキャビネット(１)の内面とスピーカ(３)の開口側端面との間に、該開口側端面の全周に亘って弾性部材(４)を介在させると共に、スピーカ(３)後部と取付け部材(５)との間に弾性部材(６)を介在させて、取付け部材(５)をテレビキャビネット(１)内面に固定するテレビのスピーカ取付け構造において、前記取付け部材(５)は、スピーカ嵌め部(51)と取付けアーム(52)(52)を有し、スピーカ嵌め部(51)に、スピーカ(３)のフレーム(31)、又はコイルを包囲する筒状鉄心(32)を、スピーカ嵌め部(51)との間に弾性部材(６)を介在させて嵌め込み、ブラウン管(２)の外周に突設した固定用突片(22)(22)に取付けアーム(52)の先端を重ね、或いは取付けアーム(52)を直接にテレビキャビネット(１)内面に当てて、スピーカ(３)開口側の弾性部材(４)が少し圧縮変形する様に、ネジ止め固定されているテレビのスピーカ取付構造。
【発明の詳細な説明】
【０００１】
【発明の属する分野】
本発明は、スピーカの振動をブラウン管に伝わることを防止する遮断手段を施したテレビキャビネット内へのスピーカの取付け構造に関する。
【０００２】
【従来の技術及び発明が解決しようとする課題】
テレビキャビネット内にスピーカを組み込むと、スピーカの振動に起因してブラウン管のスピーカ側端部の画像が走査線方向に微妙に揺れる様な現象が生じることが知られている。
【０００３】
画面が湾曲して膨らんだ従来のブラウン管ではこの現象は、余程意識して画面を見なければ分からない程度であった。しかし、画面が湾曲していないフラット型テレビでは、許容の範囲であるがこの現象が顕著であることも分かっている。
【０００４】
本発明は、スピーカの振動をブラウン管に伝わることを防止して上記問題を解決できる、テレビキャビネット内へのスピーカの取付け構造を明らかにするものである。
【０００５】
【課題を解決する手段】
本発明は、テレビキャビネット(１)の内面とスピーカ(３)の開口側端面との間に、該開口側端面の全周に亘って弾性部材(４)を介在させると共に、スピーカ(３)後部と取付け部材(５)との間に弾性部材(６)を介在させて、取付け部材(５)をテレビキャビネット(１)内面に固定するテレビのスピーカ取付け構造において、前記取付け部材(５)は、スピーカ嵌め部(51)と取付けアーム(52)(52)を有し、スピーカ嵌め部(51)に、スピーカ(３)のフレーム(31)、又はコイルを包囲する筒状鉄心(32)を、スピーカ嵌め部(51)との間に弾性部材(６)を介在させて嵌め込み、ブラウン管(２)の外周に突設した固定用突片(22)(22)に取付けアーム(52)の先端を重ね、或いは取付けアーム(52)を直接にテレビキャビネット(１)内面に当てて、スピーカ(３)開口側の弾性部材(４)が少し圧縮変形する様に、ネジ止め固定されている。
【０００６】
【作用及び効果】
スピーカ(３)は、テレビキャビネット(１)内面と取付け部材(５)とによって支持され、テレビキャビネット(１)に対しても取付け部材(５)に対しても、弾性部材(４)(６)によって、スピーカ(３)の振動が伝わることを防止できるため、ブラウン管(２)に対しても振動の影響を与えない。
従って、スピーカ(３)の振動が画面に悪影響を及ぼすことを防止できる。
【０００７】
又、スピーカ(３)の開口側端面とテレビキャビネット(１)との間は、スピーカ(３)に押されて弾性変形した弾性部材(４)によって囲まれているため、スピーカからの音が、テレビキャビネット内に逃げることを防止できる。
【０００８】
【発明の実施の形態】
図１は、テレビキャビネット(１)へのブラウン管(２)及びスピーカ(３)の取付け状態を斜め後方から見た状態を示している。
【０００９】
テレビキャビネット(１)には、ブラウン管(２)よりも少し小さい開口(10)が設けられ、該開口(10)の四隅近傍に取付けボス(13)が後方に突設されている。
又、上記開口(10)の左右両側に、スピーカ取付け用の縦長矩形の周壁(14)が後方に突設され、周壁(14)内に、スリット状、丸孔状或いは角孔状のスピーカ孔(12)(12)がキャビネットの表裏に貫通して開設されている。
【００１０】
公知の如く、ブラウン管(２)は外周に金属バンド(21)が巻き付けて固定され、該バンド(21)に前記四隅の取付けボス(13)に対応して固定用突片(22)が外向きに突設されている。
【００１１】
実施例のスピーカ(３)は、縦長楕円状のダイナミックスピーカであって、コーン(33)の開口側にてフレーム(31)の端面に断面矩形の棒状弾性部材(４)が周設されている。
【００１２】
スピーカ(３)のコイル(図示せず)に被さった筒状鉄心(32)は弾性部材(６)で包囲されている。図３に示す如く、弾性部材(６)は、筒状鉄心(32)の周面に被さる帯状弾性片(6a)と鉄心(32)の閉塞端面に被さる円形弾性片(6b)とからなる。
上記弾性部材(４)(６)は、例えば発泡ウレタンゴムで形成され、接着剤によってスピーカ(３)に固定されている。
【００１３】
スピーカ(３)は、取付け部材(５)によってブラウン管(２)と一緒に前記取付けボス(13)上にビス(７)で固定される。
取付け部材(５)は、金属板の打抜きと曲げ加工により形成され、中央部に前記スピーカ(３)の筒状鉄心(32)が嵌まるスピーカ嵌め部(51)が形成され、該スピーカ嵌め部(51)から上下に取付けアーム(52)(52)を突設し、図１に示す如く、該アーム(52)の先端を前記取付けボス(13)側に延ばし、ネジ挿通孔(図示せず)を開設している。
【００１４】
取付け部材(５)のスピーカ嵌め部(51)は、スピーカ(３)の鉄心(32)を嵌め込むと、該鉄心(32)を包囲する弾性部材(６)が少し変形してガタツキのない状態に納まる。
【００１５】
スピーカ(３)の開口側の弾性部材(４)を、前記テレビキャビネット(１)内面の周壁(14)の端面に当てて、取付け部材(５)のアーム(52)先端をブラウン管(２)の固定用突片(22)と一緒に、ビス(７)によって取付けボス(13)に固定すると、スピーカ(３)に押されて弾性部材(４)は少し圧縮変形する。
【００１６】
然して、取付け部材(５)によってスピーカ(３)をテレビキャビネット(１)内に支持した状態では、スピーカ(３)の開口側端面とテレビキャビネット(１)との間、及びスピーカ(３)と取付け部材(５)との間に弾性部材(４)(６)が介在している。このため、スピーカ(３)の振動が、テレビキャビネット(１)及び取付け部材(５)に伝わることを防止できる。従って、スピーカ(３)の振動が、ブラウン管(２)の画面に悪影響を与えることはない。
【００１７】
又、スピーカ(３)開口側端面とテレビキャビネット(１)との間は、スピーカ(３)に押されて弾性変形した弾性部材(４)によって囲まれているため、スピーカが発する音が、テレビキャビネット内に逃げることを防止できる。
【００１８】
本発明の実施に際し、取付け部材(５)のスピーカ嵌め部(51)をスピーカ(３)のフレーム(31)が嵌まる様に、大きく形成してもよい。
【００１９】
スピーカ(３)の鉄心(32)を、弾性部材(６)を介在させずに取付け部材(５)に固定し、取付けアーム(52)先端をブラウン管(２)の固定用突片(22)に重ねて前記テレビキャビネット上の取付けボス(13)にビス止めする際に、ビス止め部分に弾性部材を介在させても、上記同様にしてブラウン管(２)への振動伝達を遮断できるかの様に思える。しかし、重量の嵩むブラウン管(２)のビス止めを行うには、ビスを強力に締め付けなれけばならず、ブラウン管(２)の締付け部に弾性部材を介在させても、該弾性部材は押し潰されてしまって所望の防振効果を発揮できない。
【００２０】
本発明は、上記実施例の構成に限定されることはなく、特許請求の範囲で種々の変形が可能である。
【図面の簡単な説明】
【図１】ブラウン管及びスピーカの取付け状態を示す斜面図である。
【図２】スピーカ及び取付け部材の一部斜面図である。
【図３】スピーカ取付け状態の断面図である。
【符号の説明】
(１)  テレビキャビネット
(２)  ブラウン管
(３)  スピーカ
(32)  筒状鉄心
(４)  弾性部材
(５)  取付け部材
(51)  スピーカ嵌め部
(52)  取付けアーム
(６)  弾性部材
【図１】
0003619746.tif 000002
【図２】
0003619746.tif 000003
【図３】
0003619746.tif 000004